(57)【特許請求の範囲】
【請求項１】
家屋本体の外壁の屋外側に配置されるバルコニー床部と、該バルコニー床部の前方に位置し、下部構造上に設けられた前壁部と、該前壁部との間に外気と通ずる空間を残して該前壁部の上端面を覆う笠木とを有するバルコニー構造であって、前記床部の下方の空間と、前記前壁部内の空間と、前記笠木の下方の空間とが連通し、前記笠木の下方の空間は家屋本体側のみで外気に開放され、前記バルコニー床部は、所定位置に敷設された状態で、前記床部下方の空間と前記前壁部内の空間とを連通させる連通部を屋外側下方に有し、前記バルコニー床部は、縦芯材と横芯材を枠組みし、その枠組みの上面に面材を貼付して成形される床パネルから成り、該床パネルの前記下部構造上に位置する前記横芯材は、前記縦芯材より高さが低く、前記面材に密着することによって、前記床部下方の空間と前記前壁部内の空間とを連通させる前記連通部を屋外側下方に形成し、前記前壁部は、前壁部本体と、該前壁部本体の家屋側に幅方向に間隔を開けて縦方向にわたって固定される胴縁と、該胴縁を介して前壁部本体に固定され該前壁部本体との間に空間を残して該前壁部本体の家屋側を覆う壁面材とを有し、該壁面材と前壁部本体の間に前記前壁部内の空間が形成されていることを特徴とするバルコニー構造。
【発明の詳細な説明】
【０００１】
【発明の属する技術分野】
本発明は、バルコニー床部下方の通気性を有するバルコニー構造に関する。
【０００２】
【関連技術および発明が解決しようとする課題】
バルコニーの床部の下方に居住空間を設ける場合は、外気に晒されるバルコニー床部と、居住空間との間には大きな温度差が生じる。寒冷地においては、この温度差は特に顕著となる。そのため、バルコニー床部の下方に居住空間を設けるようにすると、バルコニー床部の下部およびその付近に結露が生じやすくなる。そのようにして、結露が発生した状態が放置されると、その湿気によって、木材の劣化や金属等の腐食が進行しやすい状態となり、建築物の耐久性を低下させる原因ともなる。
【０００３】
本発明は、上記のような問題点に鑑みてなされたものであって、その目的は、バルコニー床部下方の良好な通気を確保し、バルコニー床部下方に位置する木材や金属等の結露に伴う湿気による劣化を防ぐことが可能なバルコニー構造を提供することにある。
【０００４】
【０００５】
【課題を解決するための手段】
請求項１に記載の発明に係るバルコニー構造は、
家屋本体７０の外壁７４の屋外側に配置されるバルコニー床部１０と、
該床部の前方に位置し、下部構造７６上に設けられた前壁部３０と、
該前壁部３０との間に外気と通ずる空間を残して該前壁部の上端面３２を覆う笠木５０と、
を有するバルコニー構造であって、
前記床部の下方の空間１１と、前記前壁部内の空間３１と、前記笠木の下方の空間５１とが連通し、前記笠木の下方の空間は家屋本体側のみで外気に開放され、前記バルコニー床部は、所定位置に敷設された状態で、前記床部下方の空間と前記前壁部内の空間とを連通させる連通部を屋外側下方に有し、前記バルコニー床部は、縦芯材と横芯材を枠組みし、その枠組みの上面に面材を貼付して成形される床パネルから成り、該床パネルの前記下部構造上に位置する前記横芯材は、前記縦芯材より高さが低く、前記面材に密着することによって、前記床部下方の空間と前記前壁部内の空間とを連通させる前記連通部を屋外側下方に形成し、前記前壁部３０は、前壁部本体３４と、該前壁部本体の家屋側に幅方向に間隔を開けて縦方向にわたって固定される胴縁と、該胴縁を介して前壁部本体に固定され該前壁部本体との間に空間を残して該前壁部本体の家屋側を覆う壁面材４２とを有し、該壁面材４２と前壁本体３４との間に、前記前壁部内の空間３１が形成されていることを特徴とする。
【０００６】
請求項１に記載の発明によれば、家屋本体の外壁の屋外側に配置されたバルコニー床部の下方の空間と、バルコニー床部の前方に位置し下部構造上に設けられた前壁部内の空間と、前壁部の上端を覆う笠木下方の外気と通ずる空間とが連通しているため、バルコニー床部下方および前壁部内の空間（前壁本体と壁面材との間の空間）が通気される。したがって、バルコニー床部下方および前壁部内に位置する木材等の湿気等による劣化を防ぐことができる。
また、前壁部の上端部を覆う笠木は、家屋側の外気に通じる空間を有し、この空間が前壁部内の空間を介してバルコニー床部下方の空間に連通している。すなわち、笠木下方の空間は、風がまともに吹き付ける屋外側を通じては外気に連通していない。したがって、風等によって、雨水が笠木下方の空間に侵入する可能性を減少させることができる。
【０００７】
【０００８】
【０００９】
【００１０】
また、バルコニー床部が所定位置に敷設された状態で、家屋本体側から前壁部側への連通がバルコニー床部の屋外側の下方の連通部によって確保される形状をバルコニー床部が有している。したがって、バルコニー床部下方の空気を確実に前壁部内に流し、外気と連通させて、バルコニー床部の湿気等を取り除き、木材等の劣化を防ぐことができる。
【００１１】
【００１２】
さらに、縦芯材と横芯材との枠組みの上面に面材を貼付して形成した床パネルによってバルコニー床部が構成される。その床パネルは、下部構造上に位置する横芯材の高さが縦芯材の高さより低く、しかも横芯材および縦芯材のいずれの上面も面材に密着しているため、この床パネルを下部構造上に設置すると、下部構造と横芯材との間に確実に連通部である空間が形成される。したがって、バルコニー床部下方の空間と前壁部内の空間とを確実に連通させ、バルコニー床部下方の空気を確実に前壁部内に流し、外気と連通させて、バルコニー床部の湿気等を取り除き、木材等の劣化を防ぐことができる。
【００１３】
【００１４】
そしてさらに、前壁部本体の家屋側の面に垂直方向に延びる複数の胴縁が幅方向に間を開けて固定され、それらの胴縁を介して壁面材が前壁部本体に固定される。したがって、壁面材と前壁部本体との間において胴縁が配置されてない部分は、垂直方向に連通する空間として残される。したがって、この空間が、バルコニー床部下方の空間と連通する前壁部内の空間として機能し、バルコニー床部下方の空気を確実に前壁部内に流し、外気と連通させて、バルコニー床部の湿気等を取り除き、木材等の劣化を防ぐことができる。
【００１５】
【００１６】
【００１７】
【発明の実施の形態】
以下、本発明の好適な実施例について、図面を参照しながら、さらに具体的に説明する。
【００１８】
図１は、本発明には含まれないが本発明の実施例を説明するために示すバルコニー構造の断面図であり、図２はその主要部を示す断面図である。これらの図に示すように、本実施例のバルコニー構造は、家屋本体７０の外壁７４の屋外側に配置され、下部構造上７６に構築されている。なお、本実施例の下部構造７６は、家屋本体７０の外壁７４の下部に位置する第１壁部８０と、第１壁部８０の屋外側に間隔を開けて配置された第２壁部８２とを有する。
【００１９】
本実施例のバルコニー構造は、第１壁部８０と第２壁部８２との間に掛け渡されたバルコニー床部である床パネル１０と、床パネル１０の前方に位置し第２壁部８２上に設けられた前壁部３０と、前壁部３０の上端面を覆う笠木５０とを含んで構成される。
【００２０】
バルコニー床部である床パネル１０は、縦芯材１４と横芯材１８を枠組みし、その枠組みの上面に面材２２を貼付して形成される。この床パネル１０は、家屋本体７０の外壁７４の屋外側に配置される。床パネル１０は、屋外側の縁部に位置する縦芯材１４の端部が、第２壁部８２に固定された受け部材８３に支持され固定され、屋内側が梁８６に支持され固定される。床パネル１０は、このように固定された状態で、家屋本体７０側に下降傾斜する状態となる。
【００２１】
床パネル１０の最も家屋本体７０側には横樋２６が形成されており、防水処理が施された面材２２上を流れた雨水がこの横樋２６に集められ、図示しない縦樋を介して排水される。このように、床パネル１０が家屋側に傾斜し、横樋がバルコニー床部１０の家屋側に設けられているため、縦樋を家屋本体７０内に設けることが容易となり、縦樋内の雨水の凍結を防ぐことができる。
【００２２】
図１および図２から明らかなように、第２壁部８２の受け部材８３上方に位置する横芯材１８は、縦芯材１４より高さが低く、しかも面材２２に密着する配置となっている。したがって、受け部材８３に縦芯材１４が載置された状態で床パネル１０が固定されることとなり、横芯材１８と受け部材８３との間には空間すなわち連通部２１が生じる。これによって、床パネル１０の下方には屋外側の端部まで連続した空間１１が形成されることになる。
【００２３】
図２に詳細な断面図として示した前壁部３０は、前壁部本体３４の家屋側に幅方向に間隔を開けて縦方向にわたって胴縁３８が固定され、その胴縁３８を介して前壁部本体３４に防腐合板で形成された壁面材４２が固定され、その壁面材４２によって前壁部本体３４の家屋側が覆われる状態となっている。したがって、前壁部３０は、その屋外側において、前壁部本体３４と壁面材４２との間で胴縁３８が配置されていない部分が、前壁部３０の上端から下端にわたってほぼ垂直方向に連通する空間３１として残される。
【００２４】
この前壁部３０に形成された空間３１と、前述の床パネル１０下方に形成された空間１１とは、図２に示したように、床パネル１０下方の空間１１の屋外側と前壁部３０の家屋本体７０側の空間３１下部との間で、前述の連通部２１を介して互いに連通している。
【００２５】
また、図２の上部を拡大した断面図である図３に示すように、前壁部本体３４は、その上端面と、屋外側の面と、家屋本体側の面とが、屈曲した金属板３５で覆われている。この金属板３５は、釘や接着剤等によって前壁部本体３４に固定されている。
【００２６】
そして、前壁部３０は、屋外側面において、前壁部本体が木繊維入りのセメント板４６で覆われ、さらにその屋外側に間隔をあけて外装材４７が固定されている。
【００２７】
笠木５０は、図３に示すように、前壁部３０の幅方向に間隔をあけて設けられている支持部５２が、溶接等によって前壁部本体３４の上部に取り付けられた金属板３５に固定される。したがって、笠木５０と前壁部３０の上端面３２との間には、支持部５２の高さ分の空間５１が形成された状態で、笠木５０が前壁部３０の上端面３２を覆っている。また、この空間５１は、支持部５２が前壁部３０の幅方向に間隔を開けて配置されているため、家屋本体７０側から屋外側へ連通する空間となっている。さらに、笠木５０は、家屋本体７０側においては、壁面材４２から距離を置いた状態で壁面材４２上部をその全幅にわたって覆い、屋外側においては、外装材４７の上端部から離れた状態で外装材４７の上方までをその全幅にわたって覆っている。そのため、笠木５０と前壁部３０との間に形成された空間５１は、その家屋本体７０側および屋外側で、外気に連通している。
なお、図３の記載では、上記のように、空間５１は、その家屋本体７０側および屋外側で、外気に連通しているが、本発明においては、空間５１の屋外側は、開放されないものとなっている。
【００２８】
前述の前壁部３０の家屋本体側７０に形成された空間３１は、その上端が、笠木５０と前壁部３０の上端面３２との間に形成された空間５１に開放されることによって、空間５１に連通している。
【００２９】
笠木５０の上部には、図１に一部を示すように、手摺５６が設けられる。
【００３０】
上記のように、本実施例のバルコニー構造においては、床パネル１０には、その下方に屋外側の端部まで達する空間１１を設け、前壁部３０には、その屋内側の壁面材４２と前壁部本体３４との間に上下方向に連通する空間３１を設け、笠木５０と前壁部３０の上端面３２との間には、外気と連通する空間５１を設けてある。しかも、床パネル１０の下方の空間１１と、前壁部３０の家屋本体７０側の空間３１は相互に連通し、前壁部３０の家屋本体７０側の空間３１と笠木５０の下方の空間５１も相互に連通している。したがって、本実施例のバルコニー構造の模式的な断面図である図４に矢印で示したように、床パネル１０下方の空気は、床パネル１０前端部の空間１１を介して、前壁部３０の家屋本体７０側の空間３１、そして、笠木５０下方の空間５１へと順に流れ込んで、外気へと排出される。
【００３１】
また、図１から明らかなように、床パネル１０は、面材２２が家屋本体７０側に向けて下降するように傾斜して敷設されているため、屋外側が家屋本体７０側より高い位置となる。したがって、軽い空気が上方へと移動する性質によって、床パネル１０下方の暖かく軽い空気は、高い位置となる床パネル１０の屋外側すなわち前壁部３０の側へと集まり、前壁部３０内の空間３１、そして笠木５０下方の空間５１を介して外気中への排出が容易に行われる。これによって、床パネル１０の下方の空間１１の通気が促進されることになる。
【００３２】
本実施例のバルコニー構造によれば、家屋本体７０の外壁７４の屋外側に配置配置されたバルコニー床部１０の下方の空間１１と、バルコニー床部１０の前方に位置し下部構造上に設けられた前壁部３０内の空間３１と、前壁部３０の上端面３２を覆う笠木５０下方の空間５１とが連通し、笠木５０下方の空間は外気に通じているため、バルコニー床部１０下方の空間１１および前壁部３０内の空間３１が通気される。したがって、バルコニー床部１０下方および前壁部３０内に位置する木材や金属等の湿気による劣化を防ぐことができる。
【００３３】
以上、本発明の実施例を説明したが、本発明は前述した実施例に限定されるものではなく、本発明の要旨の範囲内または特許請求の範囲の均等範囲内で各種の変形実施が可能である。
【００３４】
例えば、上記実施例では、下部構造が、階下の第１および第２壁部８０，８２である例を示したが、下部構造はこの例に限らず、土台やマグサ等であってもよい。
【００３５】
また、上記実施例では、バルコニー床部１０と前壁部３０内の空間との間の通気が、床パネル１０の高さの低い横芯材１８と前壁部３０の受け部材との間に形成される空間すなわち連通部２１を介して行われる例を示したが、床パネル１０の屋外側の横芯材１８として、例えば図５（Ａ）に示したように所々で凹部１９が設けられている横芯材１８を用い、その凹部１９を有する横芯材１８と前壁部３０の受け部材８３との間に形成される空間すなわち連通部２１を介して、床パネル１０下方の空間１１と前壁部３０の家屋本体７０側の空間３１との間の通気が行われるようにしてもよい。あるいは、凹部を横芯材の面材側に設け、横芯材と面材との間に形成される空間すなわち連通部を介して、床パネル下方の空間と前壁部の家屋本体側の空間との間の通気が行われるようにしてもよい。また、図５（Ｂ）に示したように、横芯材に家屋本体側から屋外側に貫通する開口部２０を設けて連通部２１とすることによっても同様に床パネル１０下方から前壁部３０内の空間への連通を確保することができる。
【００３６】
【００３７】
【００３８】
さらに、上記実施例においては、笠木５０の支持部５２が、前壁部の幅方向にとびとびに設けられている場合を示したが、笠木の支持部を、家屋本体側から屋外側に貫通する開口部を有するように形成して、前壁部の幅方向に連続して設けてもよい。この場合においても、家屋本体側のみから外気に開放される空間が、笠木と前壁部との間に形成されることになる。
【００３９】
また、上述したように、笠木５０下方の空間５１が、家屋本体側のみで外気に開放されるようにしたので、笠木下方の空間は、風がまともに吹き付ける屋外側を通じては外気に開放されないことになる。したがって、風等によって、雨水が笠木下方の空間に浸入する可能性を減少させることができる。
【００４０】
【発明の効果】
以上説明したように、請求項１に記載の発明によれば、バルコニー床部下方および前壁部内の空間が通気され、バルコニー床部下方および前壁部内に位置する木材等の湿気等による劣化を防ぐことができる。
また、風等によって、雨水が笠木下方の空間に侵入する可能性が少なく、連通するバルコニー床部下方の空間および前壁部内の空間に、逆に湿気が及ぶ可能性を低下させることができる。
【００４１】
【００４２】
また、バルコニー床部下方の空気を確実に前壁部内に流し、外気と連通させることができる。
【００４３】
さらに、バルコニー床部下方の空間と前壁部内の空間とを確実に連通させ、バルコニー床部下方の空気を確実に前壁部内に流し、外気と連通させることができる。
【００４４】
そしてさらに、壁面材と前壁部本体との間の胴縁が配置されてない部分が、垂直方向に連通する空間として残され、この空間が、バルコニー床部下方の空間と連通する前壁部内の空間として機能し、バルコニー床部下方の空気を確実に前壁部内に流し、外気と連通させることができる。
【００４５】
【図面の簡単な説明】
【図１】  本発明には含まれないが本発明の実施例を説明するためにバルコニー構造の全体を示す断面図である。
【図２】  図１に示したバルコニー構造の前壁部およびその周囲の詳細を示す断面図である。
【図３】  図１に示したバルコニー構造の前壁部上部付近の詳細を示す断面図である。
【図４】  本発明には含まれないが本発明の実施例を説明するためにバルコニー構造における床部下方からの通気経路を示す概略断面図である。
【図５】  （Ａ）および（Ｂ）は、床パネルの横芯材の変形例を示す図である。
【符号の説明】
１０ 床パネル
１１，３１，５１ 空間
１４ 縦芯材
１８ 横芯材
２２ 面材
３０ 前壁部
３４ 前壁部本体
３８ 胴縁
４２ 壁面材
５０ 笠木
７０ 家屋本体
７４ 外壁
７６ 下部構造
８０ 第１壁部
８２ 第２壁部
【図１】
0003889465.tif 000002
【図２】
0003889465.tif 000003
【図３】
0003889465.tif 000004
【図４】
0003889465.tif 000005
【図５】
0003889465.tif 000006